(57)【要約】【課題】キャップの取り外し時に筆記具本体とキャップとの間で相対的なひねりが加わっても、ペン先シール部材が脱落するおそれがなく、しかも、キャップ内へのペン先シール部材のスムーズな圧入組立性を維持できる筆記具用キャップを提供する。【解決手段】本体２の内周面に軸方向に延びる複数本のリブ２１・２２を設ける。リブ２１・２２に、弾性材料よりなるペン先シール部材３の外周面を圧入する。ペン先シール部材３の外周面が圧接する各々のリブ２１・２２の内方端部から本体２軸心までの径方向の距離Ｌは、少なくとも１本のリブ２１が他のリブ２２よりも小さく設定される。また、前記距離Ｌは、隣り合うリブ２１・２２同士において異なる。【選択図】  図２
2007118468.tif 000002
【特許請求の範囲】
【請求項１】
本体の内周面に軸方向に延びる複数本のリブを設け、前記リブに、弾性材料よりなるペン先シール部材を圧入してなる筆記具用キャップであって、ペン先シール部材の外周面が圧接する各々のリブの内方端部から本体軸心までの径方向の距離は、少なくとも１本のリブが他のリブよりも小さく設定されることを特徴とする筆記具用キャップ。
【請求項２】
本体の内周面に軸方向に延びる複数本のリブを設け、前記リブに、弾性材料よりなるペン先シール部材を圧入してなる筆記具用キャップであって、ペン先シール部材の外周面が圧接する各々のリブの内方端部から本体軸心までの径方向の距離が、隣り合うリブ同士において異なることを特徴とする筆記具用キャップ。
【請求項３】
本体の内周面に軸方向に延びる複数本のリブを設け、前記リブに、弾性材料よりなるペン先シール部材を圧入してなる筆記具用キャップであって、ペン先シール部材がリブに圧接保持された状態において、ペン先シール部材の外周面に凹部を備え、前記凹部にリブが係合してなることを特徴とする筆記具用キャップ。
【発明の詳細な説明】
【技術分野】
【０００１】
本発明は、本体の内周面に軸方向に延びる複数本のリブを設け、前記リブに、弾性材料よりなるペン先シール部材を圧入してなる筆記具用キャップに関する。
【背景技術】
【０００２】
特許文献１には、本体の内周面に軸方向に延びる複数本のリブを設け、前記リブに、弾性材料よりなるペン先シール部材の外周面を圧入してなる筆記具用キャップが開示されている。
【０００３】
【特許文献１】実公平７-０５２３４号公報
【発明の開示】
【発明が解決しようとする課題】
【０００４】
前記従来の筆記具用キャップは、キャップを筆記具本体から取り外す際に、筆記具本体とキャップとの間で相対的なひねり（即ち回転）が加わると、ペン先シール部材がペン先と密接状態でキャップ内で回転して、ペン先シール部材がキャップの内部から外部に脱落するおそれがある。また、前記ペン先シール部材の脱落を防止するために、ペン先シール部材と各々のリブとの圧接を強く設定すると、ペン先シール部材のキャップ内への圧入が困難になるおそれがある。
【０００５】
本発明は、前記従来の問題点を解決するものであって、キャップの取り外し時に筆記具本体とキャップとの間で相対的なひねりが加わっても、ペン先シール部材が脱落するおそれがなく、しかも、キャップ内へのペン先シール部材のスムーズな圧入組立性を維持できる筆記具用キャップを提供しようとするものである。
【課題を解決するための手段】
【０００６】
（構成１）
本発明は、本体２の内周面に軸方向に延びる複数本のリブ２１・２２を設け、前記リブ２１・２２に、弾性材料よりなるペン先シール部材３を圧入してなる筆記具用キャップであって、ペン先シール部材３の外周面が圧接する各々のリブ２１・２２の内方端部から本体２の軸心までの径方向の距離Ｌは、少なくとも１本のリブ２１が他のリブ２２よりも小さく設定されること（構成１）を要件とする。
【０００７】
前記構成１の筆記具用キャップ１は、ペン先シール部材３の外周面が複数本のリブ２１・２２に圧接保持された状態において、前記リブ２１・２２の内方端部から本体２の軸心までの径方向の距離Ｌが他のリブ２２に比べて小さいリブ２１が、ペン先シール部材３の外周面を径方向内方に深く圧接変形させ、ペン先シール部材３の外周面に径方向内方に深く食いつく。それにより、キャップ１の取り外し時に筆記具本体４とキャップとの間で相対的なひねりが加わっても、キャップ内でペン先シール部材３が回転せず、ペン先シール部材３が脱落するおそれがない。もし、前記各々のリブの内方端部から本体２の軸心までの径方向の距離Ｌが等しく設定され、各々のリブによるペン先シール部材３の外周面の圧接変形量が均一であると、筆記具本体４とキャップ１との間で相対的なひねりが加わった際、ペン先４１とペン先シール部材３との密接によってキャップ内でペン先シール部材３が容易に回転して、ペン先シール部材３がキャップ外部に脱落するおそれがある。
【０００８】
また、前記構成１の筆記具用キャップ１は、全てのリブがペン先シール部材３の外周面に均一に強く圧接する構造ではないため、ペン先シール部材３を本体２内に圧入することが困難になるおそれがない。即ち、キャップ内へのペン先シール部材３のスムーズな圧入組立性を維持できる。
【０００９】
（構成２）
また、本発明は、本体２の内周面に軸方向に延びる複数本のリブ２１・２２を設け、前記リブ２１・２２に、弾性材料よりなるペン先シール部材３を圧入してなる筆記具用キャップであって、ペン先シール部材３の外周面が圧接する各々のリブ２１・２２の内方端部から本体２の軸心までの径方向の距離Ｌが、隣り合うリブ２１・２２同士において異なること（構成２）を要件とする。
【００１０】
前記構成２の筆記具用キャップ１は、ペン先シール部材３の外周面が圧接する各々のリブ２１・２２の内方端部から本体２の軸心までの径方向の距離Ｌが、隣り合うリブ２１・２２同士において異なることにより、ペン先シール部材３の外周面が複数本のリブ２１・２２に圧接保持された状態において、前記リブ２１・２２の内方端部から本体２の軸心までの径方向の距離Ｌが他のリブ２２に比べて小さいリブ２１が、ペン先シール部材３の外周面を径方向内方に深く圧接変形させ、ペン先シール部材３の外周面に径方向内方に深く食いつく。それにより、キャップ１の取り外し時に筆記具本体４とキャップ１との間で相対的なひねりが加わっても、キャップ内でペン先シール部材３が回転せず、ペン先シール部材３が脱落するおそれがない。もし、前記各々のリブの内方端部から本体２の軸心までの径方向の距離Ｌが等しく設定され、各々のリブによるペン先シール部材３の外周面の圧接変形量が均一であると、筆記具本体４とキャップ１との間で相対的なひねりが加わった際、ペン先４１とペン先シール部材３との密接によってキャップ内でペン先シール部材３が容易に回転して、ペン先シール部材３がキャップ外部に脱落するおそれがある。
【００１１】
また、前記構成２の筆記具用キャップ１は、全てのリブがペン先シール部材３の外周面に均一に強く圧接する構造ではないため、ペン先シール部材３を本体２内に圧入することが困難になるおそれがない。即ち、キャップ内へのペン先シール部材３のスムーズな圧入組立性を維持できる。
【００１２】
尚、前記構成２において、前記ペン先シール部材３の外周面が圧接する各々のリブ２１・２２の内方端部から本体２の軸心までの径方向の距離Ｌは、少なくとも隣り合う一組のリブ２１・２２の間で異なる構成であればよいが、全てのリブにおいて、隣り合うリブ２１・２２同士で異なることが好ましい。それにより、キャップ取り外し時にキャップ内でペン先シール部材３が回転することを一層回避でき、ペン先シール部材３のキャップ外部への脱落防止が一層確実となる。
【００１３】
（構成３）
また、本発明は、本体２の内周面に軸方向に延びる複数本のリブ２１・２２を設け、前記リブ２１・２２に、弾性材料よりなるペン先シール部材３を圧入してなる筆記具用キャップであって、ペン先シール部材３がリブ２１・２２に圧接保持された状態において、ペン先シール部材３の外周面に凹部３３・３４を備え、前記凹部３３・３４にリブ２１・２２が係合してなること（構成３）を要件とする。
【００１４】
前記構成３の筆記具用キャップ１は、ペン先シール部材３がリブ２１・２２に圧接保持された状態において、ペン先シール部材３の外周面に凹部３３・３４を設け、前記凹部３３・３４にリブ２１・２２が係合してなることにより、キャップの取り外し時に筆記具本体４とキャップとの間で相対的なひねりが加わっても、キャップ内でペン先シール部材３が回転せず、ペン先シール部材３が脱落するおそれがない。
【００１５】
前記凹部３３・３４は、ペン先シール部材３の外周面にリブ２１・２２が圧接することによってペン先シール部材３の外周面を内方に変形させて形成してもよいし、あるいは、キャップ内に圧入する前にペン先シール部材３の外周面に予め形成してもよい。前記凹部３３・３４は、複数であることが好ましく、その場合、少なくとも一つの凹部３３が他の凹部３４より深く形成されること、または、隣り合う凹部３３・３４の深さが異なることが好ましい。また、前記凹部３３・３４は、軸方向に延びる形状を有する。
【発明の効果】
【００１６】
請求項１によれば、キャップの取り外し時に筆記具本体とキャップとの間で相対的なひねりが加わっても、ペン先シール部材が脱落するおそれがなく、しかも、キャップ内へのペン先シール部材のスムーズな圧入組立性を維持できる。
【００１７】
請求項２によれば、キャップの取り外し時に筆記具本体とキャップとの間で相対的なひねりが加わっても、ペン先シール部材が脱落するおそれがなく、しかも、キャップ内へのペン先シール部材のスムーズな圧入組立性を維持できる。
【００１８】
請求項３によれば、キャップの取り外し時に筆記具本体とキャップとの間で相対的なひねりが加わっても、ペン先シール部材が脱落するおそれがない。
【発明を実施するための最良の形態】
【００１９】
図１乃至図３に本発明の実施の形態を示す。
【００２０】
本実施の形態の筆記具用キャップ１は、円筒状の本体２と、前記本体２内に配置されるペン先シール部材３よりなる。
【００２１】
前記ペン先シール部材３は、すり鉢状の内面を有するカップ部３１と、該カップ部３１の開口端部と一体に連設される円筒状の支持部３２とが、弾性材料により一体に形成される。これ以外にも、前記ペン先シール部材３の形状は、球状または板状等、いずれであってもよい。
【００２２】
前記本体２は、合成樹脂の射出成形により得られる円筒体である。前記本体２の内周面には、軸方向に延びる複数本のリブ２１・２２が等間隔で一体に形成される。前記リブ２１・２２は、具体的には、８本形成される。
【００２３】
前記各々のリブ２１・２２内周面にペン先シール部材３が圧入されると、前記各々のリブ２１・２２の内方端部にペン先シール部材３の外周面が圧接される。前記ペン先シール部材３の外周面が圧接する各々のリブ２１・２２の内方端部から本体２の軸心までの径方向の距離Ｌは、隣り合うリブ２１・２２同士で異なり、前記距離Ｌの小さいリブ２１と前記距離Ｌの大きいリブ２２とが交互に等間隔に配置される。
【００２４】
尚、前記ペン先シール部材３の外周面が圧接する各々のリブ２１・２２の内方端部から本体２の軸心までの径方向の距離Ｌが異なるとは、本実施の形態のように、本体２の内周面が横断面円形状である場合、本体２の内周面から、ペン先シール部材３の外周面が圧接する各々のリブ２１・２２の内方端部までの高さＭが異なることに言い換えることができる。即ち、本実施の形態において、前記高さＭは、隣り合うリブ２１・２２同士で異なり、前記高さＭの高いリブ２１と前記高さＭの低いリブ２２が交互に等間隔に配置される。
【００２５】
前記距離Ｌの小さいリブ２１同士（即ち前記高さＭの高いリブ２１同士）は、１８０度対称位置に配置される。同様に、前記距離Ｌの大きいリブ２２同士（即ち前記高さＭの低いリブ２２同士）は、１８０度対称位置に配置される。それにより、ペン先シール部材３の外周面を同一の圧接状態で径方向に強固に挟持できる。
【００２６】
前記ペン先シール部材３の外周面は、各リブ２１・２２により内方に変形されて軸方向に延びる凹部３３・３４が形成される。特に、前記距離Ｌが小さいリブ２１（即ち前記高さＭが高いリブ２１）は、深く凹部３３を形成し、その凹部３３と前記距離Ｌが小さいリブ２１が強く係合して、ペン先シール部材３と本体２との回転を阻止する。前記凹部３３・３４はペン先シール部材３の外周面の８箇所に等間隔に形成され、前記深く形成された凹部３３は、ペン先シール部材３の外周面の４箇所に等間隔に設けられる。前記深く形成された凹部３３と、浅く形成された凹部３４とは、交互に形成される。
【００２７】
本実施の形態では、前記距離Ｌの小さいリブ２１（即ち前記高さＭの高いリブ２１）と、前記距離Ｌの大きいリブ２２（即ち前記高さＭの低いリブ２２）の２種類のリブ２１・２２が交互に配置される。即ち、前記各々のリブ２１・２２の内方端部に接する内接円は、前記距離Ｌの小さいリブ２１（高さＭの高いリブ２１）により形成される小さい内接円と、前記距離Ｌの大きいリブ２２（高さＭの低いリブ２２）により形成される大きい内接円との２種類が、設けられる。具体的には、前記リブ２１による小さい内接円の直径は、４．５５ｍｍに設定され、前記リブ２２による大きい内接円の直径は、５．３５ｍｍに設定される。また、本実施の形態では、ペン先シール部材３の支持部３２の外径は、５．６ｍｍに設定されている。
【００２８】
前記距離Ｌの小さい前記リブ２１（高さＭの高いリブ２１）によるペン先シール部材３の外周面の圧接変形量（即ち凹部３３の深さ）は、０．２ｍｍ以上（好ましくは０．３ｍｍ以上）が有効である。それにより、キャップを取り外した際にペン先シール部材３が脱落することを、十分に防止できる。さらに、前記リブ２１による小さい内接円の直径と、前記リブ２２による大きい内接円の直径との差は、０．４ｍｍ以上（好ましくは０．５ｍｍ以上）が有効である。それにより、キャップを取り外した際にペン先シール部材３が脱落することを、確実に防止できる。
【００２９】
図３に示すように、キャップ１を筆記具本体４のペン先４１側に挿着したとき、筆記具本体４のペン先４１（具体的にはボールペンチップ）がペン先シール部材３と密接状態にある。この状態からキャップ１をひねりながら筆記具本体４から取り外しても、本実施の形態の筆記具用キャップ１では、ペン先シール部材３がキャップ本体２内で回転しない。そのため、キャップ本体２内からペン先シール部材３が脱落しない。
【図面の簡単な説明】
【００３０】
【図１】本発明筆記具用キャップの実施の形態を示す縦断面図である。
【図２】図１のＡ−Ａ線断面図である。
【図３】図１の筆記具用キャップの内部に筆記具本体を挿着した状態を示す。
【符号の説明】
【００３１】
１  筆記具用キャップ
２  本体
２１  リブ
２２  リブ
３  ペン先シール部材
３１  カップ部
３２  支持部
３３  凹部
３４  凹部
４  筆記具本体
４１  ペン先（ボールペンチップ）
Ｌ  リブの内方端部から本体軸心までの径方向の距離
Ｍ  本体の内周面からリブの内方端部までの高さ
【図１】
2007118468.tif 000003
【図２】
2007118468.tif 000004
【図３】
2007118468.tif 000005